(57)【要約】【課題】音声信号をアナログで処理する無線通信モジュールと音声信号をデジタで処理する無線通信モジュールとを共用の携帯ジャケットに差し換えて使用可能にする。【解決手段】音声信号をデジタル信号で処理する方式のＷ−ＳＩＭ１の容器と音声信号をアナログ信号で処理する方式のＣ−ＳＩＭ２の容器とが共用の携帯ジャケット７のスロット９に挿入可能に構成され、Ｗ−ＳＩＭ１が携帯ジャケット７に挿入されると、経路スイッチ２０がＷ−ＳＩＭ１に切り換えられて、ジャケット制御部１６が増幅部２１やＵＳＩＭ２２から切り離されかつコーデック部１７に接続され、デジタル方式による音声通信が可能になり、Ｃ−ＳＩＭ２が携帯ジャケット７に挿入されると、経路スイッチ２０がＣ−ＳＩＭ２に切り換えられて、ジャケット制御部１６が増幅部２１やＵＳＩＭ２２に接続されかつコーデック部１７から切り離され、アナログ方式による音声通信が可能になる。【選択図】図１
2010109846.tif 000002
【特許請求の範囲】
【請求項１】
音声信号をアナログ信号で処理する方式の無線通信モジュールと音声信号をデジタル信号で処理する方式の無線通信モジュールとを共用の携帯ジャケットに差し換えて使用する無線通信端末装置であって、音声信号をデジタル信号で処理する方式の無線通信モジュールの容器と音声信号をアナログ信号で処理する方式の無線通信モジュールの容器とが共用の携帯ジャケットのスロットに挿入可能に構成され、携帯ジャケットには音声信号をデジタル信号で処理する方式の無線通信モジュールまたは音声信号をアナログ信号で処理する方式の無線通信モジュールの信号処理に必要なコーデック部と増幅部およびＵＳＩＭが設けられ、さらに、携帯ジャケットにはコーデック部と増幅部およびＵＳＩＭとの接続を無線通信モジュールのスロットへの挿入から経路スイッチの切換までの経路切換処理を行うプログラムの設けられたジャケット制御部が設けられたことを特徴とする無線通信端末装置。
【請求項２】
音声信号をデジタル信号で処理する方式の無線通信モジュールまたは音声信号をアナログ信号で処理する方式の無線通信モジュールの携帯ジャケットのスロットへの挿入に伴う携帯ジャケットから無線通信モジュールへの最初の問い合わせに対して応答する信号が上記挿入された無線通信モジュールの種類を表示する形態に構成されたことを特徴とする請求項１記載の無線通信端末装置。
【発明の詳細な説明】
【技術分野】
【０００１】
本発明は、音声信号をアナログ信号で処理する方式の無線通信モジュールと音声信号をデジタル信号で処理する方式の無線通信モジュールとを共用の携帯端末に差し換えて使用することができる無線通信端末装置に関する。
【背景技術】
【０００２】
図８乃至図１０は、特許文献１で開示された無線通信端末装置を示す。なお、音声信号をデジタル信号で処理する方式の無線通信モジュールをＷ−ＳＩＭと称し、音声信号をアナログ信号で処理する方式の無線通信モジュールをＣ−ＳＩＭと称する。また、無線通信モジュールを挿入することにより無線通信できる無線通信端末装置を携帯ジャケットまたは単にジャケットと称する。図８において、無線通信モジュールとしてのＷ−ＳＩＭ１がスロット９から携帯ジャケット５８に挿入されることによって、Ｗ−ＳＩＭ１のインターフェース（以下、モジュールインターフェースと称する）３と携帯ジャケット５８のインターフェース（以下、ジャケットインターフェースと称する）１０とが接続された後、ユーザーが携帯ジャケット５８のキーボード１４を操作して無線による音声通信やデータ通信を行えるようになっている。Ｗ−ＳＩＭ１は、音声信号をデジタル信号で処理する通信方式を採用する、デジタルタイプである。
【０００３】
図９において、Ｗ−ＳＩＭ１は、ＰＣカードやＳＩＭカードなどのカードタイプの容器に、モジュールインターフェース３、モジュール制御部４、アンテナ２５、アンテナスイッチ２６、送信部２７、受信部２８、変調部２９、復調部３０、ＴＤＭＡ符号化部３１、ＴＤＭＡ復号化部３２、ＡＤＰＣＭトランスコーダ３３を備える。
【０００４】
モジュール制御部４は、モジュール制御部４に内蔵されたコンピュータのＣＰＵ３４が、フラッシュメモリ３５に格納されたプログラムにしたがいＲＡＭ３６を使用しながらネットワークを利用する通信ルールであるプロトコルに則って動作することによって、送受信処理、アンテナ切換処理、ルーティング処理などを実行し、その実行結果としてアンテナスイッチ２６、ＴＤＭＡ符号化部３１、ＴＤＭＡ復号化部３２を制御する。フラッシュメモリ３５は、フラッシュＲＯＭを構成する。フラッシュメモリ３５には、Ｗ−ＳＩＭ１製造番号などの固有情報や電話帳などが記録されている。
【０００５】
一方、携帯ジャケット５８は、ＰＨＳや携帯電話などの容器に、ジャケットインターフェース１０、電源１３、キーボード１４、ディスプレイ１５、コーデック部１７、マイク１８、スピーカ１９、電源スイッチ２３、ジャケット制御部５９を備える。
【０００６】
ジャケット制御部５９は、ジャケット制御部５９に内蔵されたコンピュータのＣＰＵ３７がＲＯＭ３８に格納されたプログラムにしたがいＲＡＭ３９を使用しながらネットワークを利用する通信ルールであるプロトコルに則って動作することによって、電源投入処理や初期化処理などを実行する。
【０００７】
携帯ジャケット５８は、Ｗ−ＳＩＭ１が挿入されているかどうかをＩＮＳ検出信号により検出し、ＧＰＩＯ４１によりＷ−ＳＩＭ１のスイッチＳＷ１をオンに制御することにより、Ｗ−ＳＩＭ１への電源の供給を開始する。
【０００８】
そして、Ｗ−ＳＩＭ１の携帯ジャケット５８への挿入に伴い、ＩＮＳ（図１０参照）なる検出信号がジャケットインターフェース１０からジャケット制御部５９に入力される。その後、モジュール制御部４とジャケット制御部５９とがＴＸＤ、ＲＸＤ、ＲＴＳ、ＣＴＳ、ＤＣＤ、ＲＩなる各信号のやり取りでデータ交換、ユーザー認証、ディスプレイ表示などの処理を行い、データ交換やユーザー認証が正規に終了すると、音声信号をデジタル信号で処理する通信方式で音声通話可能になる。
【０００９】
以下、音声信号をデジタル信号で処理する方式を説明する。図１０において、モジュールインターフェース３は、Ｎｏ．１乃至Ｎｏ．１８で表示された１８本の端子で構成される。ジャケットインターフェース１０は、１８本の信号線として表示された端子で構成される。Ｗ−ＳＩＭ１が携帯ジャケット５８に挿入されることによって、モジュールインターフェース３を構成する１８本の端子とジャケットインターフェース１０を構成する１８本の端子とが１本ずつ個別に接続される。
【００１０】
モジュールインターフェース３のＮｏ．１乃至Ｎｏ．７で表示された７本の端子に個別に対応するジャケットインターフェース１０における７本の端子は、ＵＡＲＴ４０の７つのポートに１本ずつ個別に接続される。モジュールインターフェース３のＮｏ．８乃至Ｎｏ．１１で表示された４本の端子に個別に対応するジャケットインターフェース１０における４本の端子は、ＧＰＩＯ４１の４つのポートに１本ずつ個別に接続される。
【００１１】
モジュールインターフェース３のＮｏ．１２で表示された１本の端子に対応するジャケットインターフェース１０における１本の端子は、インターフェースに使用されるデータ転送方式がＵＡＲＴ４０なのかＵＳＢなのかを示すインターフェース通知用信号（ＩＦ＿ＳＥＬ）として用いられる。
【００１２】
モジュールインターフェース３のＮｏ．１３乃至Ｎｏ．１６で表示された４本の端子に個別に対応するジャケットインターフェース１０における４本の端子は、コーデック部１７の４つのポートに１本ずつ個別に接続される。モジュールインターフェース３のＮｏ．１７で表示された１本の端子に対応するジャケットインターフェース１０における１本の端子は、携帯ジャケット５８の電源１３に接続される。モジュールインターフェース３のＮｏ．１８で表示された１本の端子に対応するジャケットインターフェース１０における１本の端子は、携帯ジャケット５８のアースに接続される。
【００１３】
ところで、無線通信モジュールは、上述したデジタル信号で処理する方式の他にアナログ信号で処理する方式がある。このアナログ信号で処理する方式の無線通信モジュールの容器としては、図８の携帯ジャケット５８のスロット９に挿入可能なＷ−ＳＩＭ１の容器と同じ大きさで同じ形に構成することが考えられている。
【００１４】
図６および図７に上記アナログ信号で処理する方式の無線通信モジュールとしてのＣ−ＳＩＭ２と携帯ジャケット５５とからなる無線通信端末装置を示す。図６において、Ｃ−ＳＩＭ２は、カードタイプの容器に、モジュールインターフェース５、モジュール制御部６、アンテナ４５、アンテナスイッチ４６、送信部４７、受信部４８、変調部４９、復調部５０を備える。
【００１５】
モジュール制御部６は、モジュール制御部６に内蔵されたコンピュータのＣＰＵ５１、フラッシュメモリ５２に格納されたプログラムにしたがいＲＡＭ５３を使用しながらネットワークを利用する通信ルールであるプロトコルに則って動作することによって、送受信処理、アンテナ切換処理、ルーティング処理などを実行し、その実行結果としてのコマンドをアンテナスイッチ４６に出力する。フラッシュメモリ５２は、フラッシュＲＯＭを構成する。
【００１６】
携帯ジャケット５５は、容器に、ジャケットインターフェース１０、電源１３、キーボード１４、ディスプレイ１５、マイク１８、スピーカ１９、増幅部２１、ＵＳＩＭ２２、電源スイッチ２３、ジャケット制御部５６を備える。
【００１７】
ジャケット制御部５６は、ジャケット制御部５６に内蔵されたコンピュータのＣＰＵ３７がＲＯＭ３８に格納されたプログラムにしたがいＲＡＭ３９を使用しながらネットワークを利用する通信ルールであるプロトコルに則って動作することによって、電源投入処理、初期化処理などを実行する。
【００１８】
そして、携帯ジャケット５５は、Ｃ−ＳＩＭ２が挿入されているかどうかをＩＮＳ検出信号により検出し、ＧＰＩＯ４１によりＣ−ＳＩＭ２のスイッチＳＷ１をオンに制御することにより、Ｃ−ＳＩＭ２への電源の供給を開始する。
【００１９】
上記Ｃ−ＳＩＭ２の携帯ジャケット５５への挿入に伴い、ＩＮＳ（図７参照）なる検出信号がジャケットインターフェース１０からジャケット制御部５６に入力される。引き続き、モジュール制御部６とジャケット制御部５６とがＴＸＤ、ＲＸＤ、ＲＴＳ、ＣＴＳ、ＤＣＤなどの各信号のやり取りでデータ交換、ユーザー認証、ディスプレイ表示などの処理を行い、データ交換やユーザー認証が正規に終了すると、音声信号をアナログ信号で処理する方式で音声通話可能になる。
【００２０】
以下、音声信号をアナログ信号で処理する方式を説明する。図７において、モジュールインターフェース５が、Ｎｏ．１乃至Ｎｏ．１８で表示された１８本の端子で構成される。ジャケットインターフェース１０は、１８本の信号線として表示された端子で構成される。Ｃ−ＳＩＭ２が携帯ジャケット５５に挿入されることによって、モジュールインターフェース５を構成する１８本の端子とジャケットインターフェース１０を構成する１８本の端子とが１本ずつ個別に接続される。
【００２１】
モジュールインターフェース５のＮｏ．１乃至Ｎｏ．６で表示された６本の端子に個別に対応するジャケットインターフェース１０における６本の端子は、携帯ジャケット５５におけるＵＡＲＴ４０の６つのポートに１本ずつ個別に接続されている。モジュールインターフェース５のＮｏ．７、Ｎｏ．８で表示された２本の端子に個別に対応するジャケットインターフェース１０における２本の端子は、携帯ジャケット５５におけるＧＰＩＯ４１の２つのポートに１本ずつ個別に接続される。
【００２２】
モジュールインターフェース５のＮｏ．９、Ｎｏ．１０で表示された２本の端子に個別に対応するジャケットインターフェース１０における２本の端子は、携帯ジャケット５５におけるスピーカ１９に対する増幅器４３の２つのポートに個別に接続される。モジュールインターフェース５のＮｏ．１１、Ｎｏ．１２で表示された２本の端子に個別に対応するジャケットインターフェース１０における２本の端子は、携帯ジャケット５５におけるにマイク１８に対する増幅器４２の２つのポートに個別に接続される。
【００２３】
モジュールインターフェース５のＮｏ．１３乃至Ｎｏ．１６で表示された４本の端子に個別に対応するジャケットインターフェース１０における４本の端子は、携帯ジャケット５５のＵＳＩＭ２２の４つのポートに個別に接続される。モジュールインターフェース５のＮｏ．１７で表示された１本の端子に対応するジャケットインターフェース１０における１本の端子は、携帯ジャケット５５の電源１３に接続される。モジュールインターフェース５のＮｏ．１８で表示された１本の端子に対応するジャケットインターフェース１０における１本の端子は、携帯ジャケット５５のアースに接続される。
【００２４】
上述のように無線通信モジュールには、音声信号をデジタル信号で処理する方式の他にアナログ信号で処理する方式があるので、無線通信モジュールをともに、同じ大きさで同じ形の容器を採用しても、携帯ジャケットを共用することができないという欠点ある。
【特許文献１】特許第４１１８２９４号公報
【発明の開示】
【発明が解決しようとする課題】
【００２５】
発明が解決しようとする問題点は、アナログ信号で処理する方式の無線通信モジュールとして、デジタル信号で処理する方式の無線通信モジュールにおける容器と同じ大きさで同じ形の容器を採用しても、携帯ジャケットを共用することができないという点である。
【課題を解決するための手段】
【００２６】
本発明に係る無線通信端末装置は、音声信号をアナログ信号で処理する方式の無線通信モジュールと音声信号をデジタル信号で処理する方式の無線通信モジュールとを共用の携帯ジャケットに差し換えて使用する無線通信端末装置であって、音声信号をデジタル信号で処理する方式の無線通信モジュールの容器と音声信号をアナログ信号で処理する方式の無線通信モジュールの容器とが共用の携帯ジャケットのスロットに挿入可能に構成され、携帯ジャケットには音声信号をデジタル信号で処理する方式の無線通信モジュールまたは音声信号をアナログ信号で処理する方式の無線通信モジュールの信号処理に必要なコーデック部と増幅部およびＵＳＩＭが設けられ、さらに、携帯ジャケットにはコーデック部と増幅部およびＵＳＩＭとの接続を無線通信モジュールのスロットへの挿入から経路スイッチの切換までの経路切換処理を行うプログラムの設けられたジャケット制御部が設けられたことを最も主要な特徴とする。本発明に係る無線通信端末装置の場合、音声信号をデジタル信号で処理する方式の無線通信モジュールまたは音声信号をアナログ信号で処理する方式の無線通信モジュールの携帯ジャケットのスロットへの挿入に伴う携帯ジャケットから無線通信モジュールへの最初の問い合わせに対して応答する信号が上記挿入された無線通信モジュールの種類を表示する形態に構成されてもよい。
【発明の効果】
【００２７】
本発明に係る無線通信端末装置によれば、音声信号をアナログ信号で処理する方式の無線通信モジュールと音声信号をデジタル信号で処理する方式の無線通信モジュールとを共用の携帯ジャケットに差し換えて使用することができるという利点がある。本発明に係る無線通信端末装置において、音声信号をデジタル信号で処理する方式の無線通信モジュールまたは音声通信をアナログ信号で処理する方式の無線通信モジュールの携帯ジャケットのスロットへの挿入に伴う携帯ジャケットから無線通信モジュールへの最初の問い合わせに対して応答する信号が上記挿入された無線通信モジュールの種類を表示する形態に構成されれば、挿入の直後に無線通信モジュールの種類が判別し、無線通信端末装置として短時間に使用可能になるという利点がある。
【発明を実施するための最良の形態】
【００２８】
図１は、Ｗ−ＳＩＭ１とＣ−ＳＩＭ２とで携帯ジャケット７を共用する無線通信端末装置の構成を示す。図２は、Ｗ−ＳＩＭ１と携帯ジャケット７とからなる無線通信端末装置のブロック構成を示す。図３は、Ｗ−ＳＩＭ１と携帯ジャケット７とからなる無線通信端末装置の回路構成を示す。図４は、Ｃ−ＳＩＭ２と携帯ジャケット７とからなる無線通信端末装置のブロック構成を示す。図５は、Ｃ−ＳＩＭ２と携帯ジャケット７とからなる無線通信端末装置の回路構成を示す。
【００２９】
図１を参照し、Ｗ−ＳＩＭ１とＣ−ＳＩＭ２とで携帯ジャケット７を共用する無線通信端末装置について説明する。音声信号をデジタル信号で処理する方式の無線通信モジュールなるＷ−ＳＩＭ１と、音声信号をアナログ信号で処理する方式の無線通信モジュールなるＣ−ＳＩＭ２とは、同じ大きさで同じ形のカードタイプの容器を有する。Ｗ−ＳＩＭ１の容器には、モジュールインターフェース３やモジュール制御部４などが設けられる。モジュールインターフェース３は、１８本の端子から構成される。Ｃ−ＳＩＭ２の容器には、モジュールインターフェース５やモジュール制御部６などが設けられる。モジュールインターフェース５は、１８本の端子から構成される。
【００３０】
携帯ジャケット７は、容器に、スロットカバー８、スロット９、ジャケットインターフェース１０、取音孔１１、放音孔１２、電源１３、キーボード１４、ディスプレイ１５、ジャケット制御部１６、コーデック部１７、マイク１８、スピーカ１９、経路スイッチ２０、増幅部２１、ＵＳＩＭ２２を備える。取音孔１１は、携帯ジャケット７の外部からの音声をマイク１８に拾わせる孔である。放音孔１２は、スピーカ１９からの音声を携帯ジャケット７の外部に出す孔である。
【００３１】
そして、キーボード１４の電源スイッチ２３がユーザーによりオン操作された状態でＷ−ＳＩＭ１またはＣ−ＳＩＭ２がスロット９から携帯ジャケット７に挿入されてスロットカバー８が閉じられて、モジュールインターフェース３またはモジュールインターフェース５とジャケットインターフェース１０とが互いに接続されるか、または、Ｗ−ＳＩＭ１またはＣ−ＳＩＭ２がスロット９から携帯ジャケット７に挿入されスロットカバー８が閉じられてモジュールインターフェース３またはモジュールインターフェース５とジャケットインターフェース１０とが互いに接続された状態で電源スイッチ２３がユーザーによりオン操作される。
【００３２】
それに伴い、電力が電源１３からジャケット制御部１６とモジュール制御部４またはモジュール制御部６との双方に供給され、モジュール制御部４またはモジュール制御部６とジャケット制御部１６との双方が電気的に起動し、ジャケット制御部１６が経路切換処理を行う。
【００３３】
経路切換処理について説明すると、先ず、ステップ１０１において、無線通信モジュールが携帯ジャケット７に挿入されたか否かを判定する。そして、Ｗ−ＳＩＭ１またはＣ−ＳＩＭ２が携帯ジャケット７に挿入され、ＩＮＳ信号がジャケット制御部１６に入力された場合、ステップ１０１がＹＥＳとなり、ステップ１０２に進む。
【００３４】
ステップ１０２では、携帯ジャケット７に挿入された無線通信モジュールがＷ−ＳＩＭ１であるかＣ−ＳＩＭ２であるかを判定する。携帯ジャケット７に挿入された無線通信モジュールがＷ−ＳＩＭ１である場合、Ｗ−ＳＩＭ１を表示するフォーマットのＲＸＤ信号がジャケット制御部１６に入力され、ステップ１０２がＹＥＳとなり、ステップ１０３に進む。携帯ジャケット７に挿入された無線通信モジュールがＣ−ＳＩＭ２である場合、Ｃ−ＳＩＭ２を表示するフォーマットのＲＸＤ信号がジャケット制御部１６に入力され、ステップ１０２がＮＯとなり、ステップ１０４に進む。
【００３５】
ステップ１０３では、経路スイッチ２０をＷ−ＳＩＭ１に切り換える。その結果、ジャケット制御部１６が増幅部２１およびＵＳＩＭ２２をジャケット制御部１６から切り離しかつコーデック部１７をジャケット制御部１６に接続するように経路スイッチ２０を制御し、音声信号をデジタル信号で処理する方式による音声通信が可能になる。
【００３６】
ステップ１０４では、経路スイッチ２０をＣ−ＳＩＭ２に切り換える。その結果、ジャケット制御部１６が増幅部２１およびＵＳＩＭ２２をジャケット制御部１６に接続しかつコーデック部１７をジャケット制御部１６から切り離すように経路スイッチ２０を制御し、音声信号をアナログ信号で処理する方式による音声通信が可能になる。
【００３７】
Ｗ−ＳＩＭ１とＣ−ＳＩＭ２とが携帯ジャケット７のスロット９に挿入可能なように互いに同じ大きさで同じ形のカードタイプの容器に構成され、携帯ジャケット７には、コーデック部１７、経路スイッチ２０、増幅部２１、ＵＳＩＭ２２、Ｗ−ＳＩＭ１またはＣ−ＳＩＭ２なる無線通信モジュールの挿入から経路スイッチ２０の切換までの経路切換処理を行うプログラムがジャケット制御部１６に設けられているので、Ｗ−ＳＩＭ１とＣ−ＳＩＭ２との双方とで携帯ジャケット７を共用することができる。つまり、音声信号をデジタル信号で処理する方式または音声信号をアナログ信号で処理する方式の２種類の無線通信モジュール（Ｗ−ＳＩＭ１とＣ−ＳＩＭ２とに相当）に対し、共用として１種類の携帯ジャケット７を市場に供給すればよいという利点がある。
【００３８】
図２を参照し、Ｗ−ＳＩＭ１と携帯ジャケット７とからなる無線通信端末装置について説明する。Ｗ−ＳＩＭ１が、ＰＣカードやＳＩＭカードなどのカードタイプの容器に、モジュールインターフェース３、モジュール制御部４、アンテナ２５、アンテナスイッチ２６、送信部２７、受信部２８、変調部２９、復調部３０、ＴＤＭＡ符号化部３１、ＴＤＭＡ復号化部３２、ＡＤＰＣＭトランスコーダ３３を備える構成は、図９と同じである。
【００３９】
モジュール制御部４は、モジュール制御部４に内蔵されたコンピュータのＣＰＵ３４が、フラッシュメモリ３５に格納されたプログラムにしたがいＲＡＭ３６を使用しながらネットワークを利用する通信ルールであるプロトコルに則って動作することによって、送受信処理、アンテナ切換処理、ルーティング処理などを実行し、その実行結果としてアンテナスイッチ２６、ＴＤＭＡ符号化部３１、ＴＤＭＡ復号化部３２を制御する。フラッシュメモリ３５は、フラッシュＲＯＭを構成する。フラッシュメモリ３５には、Ｗ−ＳＩＭ製造番号などの固有情報や電話帳などが記録されている。
【００４０】
携帯ジャケット７は、ＰＨＳや携帯電話などの携帯端末タイプの容器に、ジャケットインターフェース１０、電源１３、キーボード１４、ディスプレイ１５、ジャケット制御部１６、コーデック部１７、マイク１８、スピーカ１９、経路スイッチ２０、増幅部２１、ＵＳＩＭ２２、電源スイッチ２３を備える。
【００４１】
ジャケット制御部１６では、ジャケット制御部１６に内蔵されたコンピュータのＣＰＵ３７がＲＯＭ３８に格納されたプログラムにしたがいＲＡＭ３９を使用しながらネットワークを利用する通信ルールであるプロトコルに則って動作することによって、電源投入処理、経路スイッチ切換処理などを実行し、その実行結果として経路スイッチ２０を制御する。
【００４２】
つまり、携帯ジャケット７が、コーデック部１７、経路スイッチ２０、増幅部２１、ＵＳＩＭ２２を備える。そして、経路スイッチ２０が、コーデック部１７をジャケット制御部１６から切り離して増幅部２１とＵＳＩＭ２２とをジャケット制御部１６に接続するか、または、コーデック部１７をジャケット制御部１６に接続して増幅部２１とＵＳＩＭ２２とをジャケット制御部１６から切り離す特徴を有する。
【００４３】
ＵＳＩＭ２２やＲＯＭ３８は、フラッシュメモリにより構成される。ＵＳＩＭ２２には、携帯ジャケット製造番号やＣ−ＳＩＭ製造番号などの固有情報や電話帳などが記録されている。ジャケット制御部１６には、ＵＡＲＴ４０やＧＰＩＯ４１も設けられる。
【００４４】
図３を参照し、Ｗ−ＳＩＭ１と携帯ジャケット７とからなる無線通信端末装置の回路構成について説明する。図３では、経路スイッチ２０がＷ−ＳＩＭ１に切り換えられた後の
状態を示す。具体的には、先ず、Ｗ−ＳＩＭ１が携帯ジャケット７に挿入され、モジュールインターフェース３がジャケットインターフェース１０に接続され、モジュール制御部４とジャケット制御部１６とが電気的に起動する。
【００４５】
次に、ＩＮＳ信号がモジュールインターフェース３のＮｏ．８で表示された端子からＧＰＩＯ４１を経由してＣＰＵ３７に入力される。そして、ＴＸＤ信号がＣＰＵ３７からＵＡＲＴ４０およびモジュールインターフェース３のＮｏ．１で表示された端子を経由してＷ−ＳＩＭ１に入力される。この入力された信号の応答としてＷ−ＳＩＭ１を表示するフォーマットのＲＸＤ信号がモジュールインターフェース３のＮｏ．２で表示された端子からＵＡＲＴ４０を経由してＣＰＵ３７に入力される。
【００４６】
引き続き、ＣＰＵ３７がＲＸＤ信号の形態から携帯ジャケット７に挿入された無線通信モジュールがＷ−ＳＩＭ１であると判定する。その後、ＣＰＵ３７がスイッチ切換信号としてのＷ−ＳＩＭ信号をＧＰＩＯ４１から経路スイッチ２０に出力する。その結果、経路スイッチ２０が動作して図３に示す状態となる。Ｗ−ＳＩＭ１の携帯ジャケット７への挿入（ＩＮＳ信号）に伴う携帯ジャケット７からＷ−ＳＩＭ１への最初の問い合わせ（ＴＸＤ信号）に対して応答する信号（ＲＸＤ信号）が上記挿入されたＷ−ＳＩＭ１の種類を表示する形態に構成されているので、Ｗ−ＳＩＭ１の携帯ジャケット７への挿入の直後にＷ−ＳＩＭ１の種類が判別し、無線通信端末装置として短時間に使用可能になるという利点がある。
【００４７】
上記経路スイッチ２０の図３に示す状態となった動作の結果、モジュールインターフェース３のＮｏ．７で表示された端子がＧＰＩＯ４１からのＰＯＷＥＲ  ＯＮ信号の出力用の端子から切り離されかつＵＡＲＴ４０へのＲＩ信号の入力用の端子に接続される。モジュールインターフェース３のＮｏ．９で表示された端子がＵＳＩＭ２２へのＳＩＭＲＳＴ信号の入力用の端子から切り離されかつＧＰＩＯ４１への第１ＤＩＳＰ信号の入力用の端子に接続される。
【００４８】
モジュールインターフェース３のＮｏ．１０で表示された端子がＵＳＩＭ２２からのＳＩＭＤＡＴＡ信号の出力用の端子から切り離されかつＧＰＩＯ４１の第２ＤＩＳＰ信号の入力用の端子に接続される。モジュールインターフェース３のＮｏ．１１で表示された端子がＵＳＩＭ２２のＳＩＭＣＬＫ信号の入力用の端子から切り離されかつＧＰＩＯ４１への第３ＤＩＳＰ信号の入力用の端子に接続される。
【００４９】
モジュールインターフェース３のＮｏ．１２で表示された端子が増幅器４２のＭＩＣ−信号用の端子から切り離されかつＩＦ−ＳＥＬ信号用の端子に接続される。モジュールインターフェース３のＮｏ．１３で表示された端子が増幅器４３のＲＥＣ＋信号用の端子から切り離されかつコーデック部１７へのＰＣＭＣＬＫ信号の入力用の端子に接続される。モジュールインターフェース３のＮｏ．１４で表示された端子が増幅器４３のＲＥＣ−信号用の端子から切り離されかつコーデック部１７へのＰＣＭＳＹＮＣ信号の入力用の端子に接続される。
【００５０】
モジュールインターフェース３のＮｏ．１５で表示された端子が増幅器４２のＭＩＣ＋信号用の端子から切り離されかつコーデック部１７のＰＣＭＯＵＴ信号の入力用の端子に接続される。モジュールインターフェース３のＮｏ．１６で表示された端子がＵＳＩＭ２２へのＳＩＭ  Ｖｃｃ供給用の端子から切り離されかつコーデック部１７からのＰＣＭＩＮ信号の出力用の端子に接続される。
【００５１】
以上の結果、Ｗ−ＳＩＭ１が携帯ジャケット７に挿入され、モジュール制御部４とジャケット制御部１６とが電気的に起動し、経路スイッチ２０がＷ−ＳＩＭ１に切り換えられることによって、Ｗ−ＳＩＭ１が増幅器４２、増幅器４３、ＵＳＩＭ２２のそれぞれから切り離されかつＵＡＲＴ４０、ＧＰＩＯ４１、コーデック部１７に接続され、デジタル方式による音声通信が可能なＷ−ＳＩＭ１と携帯ジャケット７とからなる無線通信端末装置が構成される。増幅器４２および増幅器４３は、図１および図２の増幅部２１を構成する。
【００５２】
図４を参照し、Ｃ−ＳＩＭ２と携帯ジャケット７とからなる無線通信端末装置について説明する。Ｃ−ＳＩＭ２が、Ｗ−ＳＩＭ１の容器と同じ大きさで同じ形の容器に、モジュールインターフェース５、モジュール制御部６、アンテナ４５、アンテナスイッチ４６、送信部４７、受信部４８、変調部４９、復調部５０を備える構成は、図６と同じである。
【００５３】
モジュール制御部６では、モジュール制御部６に内蔵されたコンピュータのＣＰＵ５１が、フラッシュメモリ５２に格納されたプログラムにしたがいＲＡＭ５３を使用しながらネットワークを利用する通信ルールであるプロトコルに則って動作することによって、送受信処理、アンテナ切換処理、ルーティング処理などを実行し、その実行結果としてアンテナスイッチ４６を制御する。フラッシュメモリ５２は、フラッシュＲＯＭを構成する。
【００５４】
携帯ジャケット７が、ＰＨＳや携帯電話などの携帯端末タイプの容器に、ジャケットインターフェース１０、電源１３、キーボード１４、ディスプレイ１５、ジャケット制御部１６、コーデック部１７、マイク１８、スピーカ１９、経路スイッチ２０、増幅部２１、ＵＳＩＭ２２、電源スイッチ２３を備える構成は、図２と同じである。
【００５５】
図５を参照し、Ｃ−ＳＩＭ２と携帯ジャケット７とからなる無線通信端末装置の回路構成について説明する。図５では、経路スイッチ２０がＣ−ＳＩＭ２に切り換えられた後の状態を示す。具体的には、先ず、Ｃ−ＳＩＭ２が携帯ジャケット７に挿入され、モジュールインターフェース５がジャケットインターフェース１０に接続され、モジュール制御部６とジャケット制御部１６とが電気的に起動する。
【００５６】
次に、ＩＮＳ信号がモジュールインターフェース５のＮｏ．８で表示された端子からＧＰＩＯ４１を経由してＣＰＵ３７に入力される。そして、ＴＸＤ信号がＣＰＵ３７からＵＡＲＴ４０およびモジュールインターフェース５のＮｏ．１で表示された端子を経由してＣ−ＳＩＭ２に入力される。この入力された信号の応答としてＣ−ＳＩＭ２を表示するフォーマットのＲＸＤ信号がモジュールインターフェース５のＮｏ．２で表示された端子からＵＡＲＴ４０を経由してＣＰＵ３７に入力される。
【００５７】
引き続き、ＣＰＵ３７がＲＸＤ信号のフォーマットから携帯ジャケット７に挿入された無線通信モジュールがＣ−ＳＩＭ２であると判定する。その後、ＣＰＵ３７がスイッチ切換信号としてのＣ−ＳＩＭ信号をＧＰＩＯ４１より経路スイッチ２０に出力する。その結果、経路スイッチ２０が動作して図５に示す状態となる。Ｃ−ＳＩＭ２の携帯ジャケット７への挿入（ＩＮＳ信号）に伴う携帯ジャケット７からＣ−ＳＩＭ２への最初の問い合わせ（ＴＸＤ信号）に対して応答する信号（ＲＸＤ信号）が上記挿入されたＣ−ＳＩＭ２の種類を表示する形態に構成されているので、Ｃ−ＳＩＭ２の携帯ジャケット７への挿入の直後にＣ−ＳＩＭ２の種類が判別し、無線通信端末装置として短時間に使用可能になるという利点がある。
【００５８】
上記経路スイッチ２０の図５に示す状態となった動作の結果、モジュールインターフェース５のＮｏ．７で表示された端子がＵＡＲＴ４０へのＲＩ信号の入力用の端子から切り離されかつＧＰＩＯ４１からのＰＯＷＥＲ  ＯＮ信号の出力用の端子に接続される。モジュールインターフェース５のＮｏ．９で表示された端子がＧＰＩＯ４１への第１ＤＩＳＰ信号の入力用の端子から切り離されかつＵＳＩＭ２２へのＳＩＭＲＳＴ信号の入力用の端子に接続される。
【００５９】
モジュールインターフェース５のＮｏ．１０で表示された端子がＧＰＩＯ４１の第２ＤＩＳＰ信号の入力用の端子から切り離されかつＵＳＩＭ２２からのＳＩＭＤＡＴＡ信号の入出力用の端子に接続される。モジュールインターフェース５のＮｏ．１１表示された端子がＧＰＩＯ４１への第３ＤＩＳＰ信号の入力用の端子から切り離されかつＵＳＩＭ２２のＳＩＭＣＬＫ信号の入力用の端子に接続される。
【００６０】
モジュールインターフェース５のＮｏ．１２で表示された端子がＩＦ−ＳＥＬ信号用の端子から切り離されかつ増幅器４２のＭＩＣ−信号用の端子に接続される。モジュールインターフェース５のＮｏ．１３で表示された端子がコーデック部へのＰＣＭＣＬＫ信号の入力用の端子から切り離されかつ増幅器４３のＲＥＣ＋信号用の端子に接続される。モジュールインターフェース５のＮｏ．１４で表示された端子がコーデック部へのＰＣＭＳＹＮＣ信号の入力用の端子切り離されかつ増幅器４３のＲＥＣ−信号用の端子からに接続される。
【００６１】
モジュールインターフェース５のＮｏ．１５で表示された端子がコーデック部のＰＣＭＯＵＴ信号の入力用の端子から切り離されかつ増幅器４２のＭＩＣ＋信号用の端子に接続される。モジュールインターフェース５のＮｏ．１６で表示された端子がコーデック部からのＰＣＭＩＮ信号の出力用の端子から切り離されかつＵＳＩＭ２２へのＳＩＭ  Ｖｃｃ供給用の端子に接続される。
【００６２】
以上の結果、Ｃ−ＳＩＭ２が携帯ジャケット７に挿入され、モジュール制御部６とジャケット制御部１６とが電気的に起動し、経路スイッチ２０がＣ−ＳＩＭ２に切り換えられることによって、Ｃ−ＳＩＭ２がコーデック部から切り離されかつ増幅器４２；４３、ＵＳＩＭ２２、ＵＡＲＴ４０、ＧＰＩＯ４１のそれぞれに接続され、アナログ方式による音声通信が可能なＣ−ＳＩＭ２と携帯ジャケット７とからなる無線通信端末装置が構成される。
【産業上の利用可能性】
【００６３】
図１において、アナログタイプの無線通信モジュールとして、Ｃ−ＳＩＭ２に代えて、ＧＳＭ−ＳＩＭ、ＷＣＤＭＡ−ＳＩＭなどを用いてもよい。その場合、ＧＳＭ−ＳＩＭ、ＷＣＤＭＡ−ＳＩＭなどにおける容器は、Ｗ−ＳＩＭ１の容器と同じ大きさで同じ形に構成されることは必要である。つまり、ＧＳＭ−ＳＩＭ、ＷＣＤＭＡ−ＳＩＭなどが、携帯ジャケット７のＷ−ＳＩＭ１の受け入れ用のスロット９に挿入可能であることは必要である。
【図面の簡単な説明】
【００６４】
【図１】Ｗ−ＳＩＭとＣ−ＳＩＭとで携帯ジャケットを共用する無線通信端末装置の模式図（最良の形態）。
【図２】Ｗ−ＳＩＭと携帯ジャケットとからなる無線通信端末装置のブロック構成図（最良の形態）。
【図３】Ｗ−ＳＩＭと携帯ジャケットとからなる無線通信端末装置の回路構成図（最良の形態）。
【図４】Ｃ−ＳＩＭと携帯ジャケットとからなる無線通信端末装置のブロック構成図（最良の形態）。
【図５】Ｃ−ＳＩＭと携帯ジャケットとからなる無線通信端末装置の回路構成図（最良の形態）。
【図６】Ｃ−ＳＩＭと携帯ジャケットとからなる無線通信端末装置のブロック構成図（対比例）。
【図７】Ｃ−ＳＩＭと携帯ジャケットとからなる無線通信端末装置の回路構成図（対比例）。
【図８】Ｗ−ＳＩＭと携帯ジャケットとからなる無線通信端末装置の斜視図（従来）。
【図９】Ｗ−ＳＩＭと携帯ジャケットとからなる無線通信端末装置のブロック構成図（従来）。
【図１０】Ｗ−ＳＩＭと携帯ジャケットとからなる無線通信端末装置の回路構成図（従来）。
【符号の説明】
【００６５】
１はＷ−ＳＩＭ（音声信号をデジタル信号で処理する方式の無線通信モジュール）、２はＣ−ＳＩＭ（音声信号をアナログ信号で処理する方式の無線通信モジュール）、３はモジュールインターフェース、４はモジュール制御部、５はモジュールインターフェース、６はモジュール制御部、７は携帯ジャケット、８はスロットカバー、９はスロット、１０はジャケットインターフェース、１１は取音孔、１２は放音孔、１３は電源、１４はキーボード、１５はディスプレイ、１６はジャケット制御部、１７はコーデック部、１８はマイク、１９はスピーカ、２０は経路スイッチ、２１は増幅部、２２はＵＳＩＭ（Universal Subscriber Identity Module Card）、２３は電源スイッチ、２４は欠番、２５はアンテナ、２６はアンテナスイッチ、２７は送信部、２８は受信部、２９は変調部、３０は復調部、３１はＴＤＭＡ符号化部、３２はＴＤＭＡ復号化部、３３はＡＤＰＣＭトランスコーダ、３４はＣＰＵ、３５はフラッシュメモリ、３６はＲＡＭ、３７はＣＰＵ、３８はＲＯＭ、３９はＲＡＭ、４０はＵＡＲＴ（Universal Asynchronous Receiver Transmitter）、４１はＧＰＩＯ（General Purpose I／O）、４２は増幅器、４３は増幅器、４４は欠番、４５はアンテナ、４６はアンテナスイッチ、４７は送信部、４８は受信部、４９は変調部、５０は復調部、５１はＣＰＵ、５２はフラッシュメモリ、５３はＲＡＭ、５４は欠番、５５は携帯ジャケット、５６はジャケット制御部、５７は欠番、５８は携帯ジャケット、５９はジャケット制御部。
【図１】
2010109846.tif 000003
【図２】
2010109846.tif 000004
【図３】
2010109846.tif 000005
【図４】
2010109846.tif 000006
【図５】
2010109846.tif 000007
【図６】
2010109846.tif 000008
【図７】
2010109846.tif 000009
【図８】
2010109846.tif 000010
【図９】
2010109846.tif 000011
【図１０】
2010109846.tif 000012